(57)【要約】【課題】子機との間における予期しない組み合わせの通信接続を自動的に回避することのできる機器管理装置、端末装置、管理支援装置、機器管理システム、機器管理方法、表示処理方法、機器管理プログラムおよび表示処理プログラムを提供する。【解決手段】機器管理装置は、１または複数の子機と通信可能であり、自己の前記機器管理装置との通信接続が許可されている前記子機である対象子機の識別情報を他の装置から受信する通信部と、前記通信部により受信された前記識別情報に基づいて、前記対象子機からの接続要求を選択的に許可して前記対象子機との通信接続を確立する処理を行う処理部とを備える。【選択図】図２
2019012887.tif 000002
【特許請求の範囲】
【請求項１】
機器管理装置であって、
１または複数の子機と通信可能であり、自己の前記機器管理装置との通信接続が許可されている前記子機である対象子機の識別情報を他の装置から受信する通信部と、
前記通信部により受信された前記識別情報に基づいて、前記対象子機からの接続要求を選択的に許可して前記対象子機との通信接続を確立する処理を行う処理部とを備える、機器管理装置。
【請求項２】
前記処理部は、自己の前記機器管理装置との通信接続が許可されていない前記子機である非対象子機からの接続要求を拒否する処理、または前記非対象子機との通信接続を切断する処理を行い、接続要求を拒否する処理または通信接続を切断する処理を行ったことを示す接続拒否通知を前記通信部経由で他の装置へ送信する、請求項１に記載の機器管理装置。
【請求項３】
機器管理装置との通信接続が許可されている子機である対象子機の識別情報を他の装置から受信する通信部と、
前記通信部により受信された前記識別情報を画面に表示する処理を行う表示処理部とを備える、端末装置。
【請求項４】
前記表示処理部は、前記機器管理装置との通信接続が許可されていない子機である非対象子機からの接続要求が拒否された旨、または前記機器管理装置と前記非対象子機との通信接続が切断された旨をさらに表示する処理を行う、請求項３に記載の端末装置。
【請求項５】
機器管理装置の識別情報と子機の識別情報との対応関係を示す第１対応情報を取得する取得部と、
対象の前記機器管理装置の識別情報を取得し、前記子機との通信接続を確立する命令を前記対象の機器管理装置へ送信する処理部とを備え、
前記処理部は、前記取得部により取得された前記第１対応情報に基づいて、前記対象の機器管理装置の識別情報に対応する前記子機の識別情報を含む前記命令を送信する、管理支援装置。
【請求項６】
前記取得部は、ユーザの識別情報と前記機器管理装置の識別情報との対応関係を示す第２対応情報をさらに取得し、
前記処理部は、対象のユーザの識別情報を取得し、さらに、前記取得部により取得された前記第２対応情報に基づいて、前記対象のユーザの識別情報に対応する前記機器管理装置の識別情報を前記対象の機器管理装置の識別情報として取得する、請求項５に記載の管理支援装置。
【請求項７】
１または複数の子機と通信可能な機器管理装置と、
前記子機との通信接続を確立する命令を前記機器管理装置へ送信する管理支援装置とを備え、
前記管理支援装置は、前記機器管理装置の識別情報と前記子機の識別情報との対応関係を示す第１対応情報に基づいて、対象の前記機器管理装置の識別情報に対応する前記子機の識別情報を含む前記命令を前記対象の機器管理装置へ送信する、機器管理システム。
【請求項８】
機器管理装置における機器管理方法であって、
前記機器管理装置との通信接続が許可されている子機である対象子機の識別情報を他の装置から受信するステップと、
受信した前記識別情報に基づいて、前記対象子機からの接続要求を選択的に許可して前記対象子機と通信接続を確立する処理を行うステップとを含む、機器管理方法。
【請求項９】
端末装置における表示処理方法であって、
機器管理装置との通信接続が許可されている子機である対象子機の識別情報を他の装置から受信するステップと、
受信した前記識別情報を画面に表示する処理を行うステップとを含む、表示処理方法。
【請求項１０】
子機との通信接続を確立する命令を機器管理装置へ送信する管理支援装置における機器管理方法であって、
前記機器管理装置の識別情報と前記子機の識別情報との対応関係を示す第１対応情報、および対象の前記機器管理装置の識別情報を取得するステップと、
取得した前記第１対応情報および前記対象の機器管理装置の識別情報に基づいて、前記対象の機器管理装置の識別情報に対応する前記子機の識別情報を含む前記命令を、前記対象の機器管理装置へ送信するステップとを含む、機器管理方法。
【請求項１１】
機器管理装置において用いられる機器管理プログラムであって、
コンピュータを、
１または複数の子機と通信可能であり、自己の前記機器管理装置との通信接続が許可されている前記子機である対象子機の識別情報を他の装置から受信する通信部と、
前記通信部により受信された前記識別情報に基づいて、前記対象子機からの接続要求を選択的に許可して前記対象子機との通信接続を確立する処理を行う処理部、
として機能させるための、機器管理プログラム。
【請求項１２】
端末装置において用いられる表示処理プログラムであって、
コンピュータを、
機器管理装置との通信接続が許可されている子機である対象子機の識別情報を他の装置から受信する通信部と、
前記通信部により受信された前記識別情報を画面に表示する処理を行う表示処理部、
として機能させるための、表示処理プログラム。
【請求項１３】
管理支援装置において用いられる機器管理プログラムであって、
コンピュータを、
機器管理装置の識別情報と子機の識別情報との対応関係を示す第１対応情報を取得する取得部と、
対象の前記機器管理装置の識別情報を取得し、前記子機との通信接続を確立する命令を前記対象の機器管理装置へ送信する処理部、
として機能させるためのプログラムであり、
前記処理部は、前記取得部により取得された前記第１対応情報に基づいて、前記対象の機器管理装置の識別情報に対応する前記子機の識別情報を含む前記命令を送信する、機器管理プログラム。
【発明の詳細な説明】
【技術分野】
【０００１】
本発明は、機器管理装置、端末装置、管理支援装置、機器管理システム、機器管理方法、表示処理方法、機器管理プログラムおよび表示処理プログラムに関する。
【背景技術】
【０００２】
従来、一般家庭およびオフィス等において、各種機器と通信することにより複数の機器を管理する管理システムが開発されている（たとえば、国際公開第２０１４／１０３３４１号（特許文献１）参照）。特許文献１には、被写体を所定の露光時間で撮影することにより得られた画像に含まれる複数の輝線のパターンに基づいて、扉の開閉を制御する方法が開示されている。
【０００３】
また、管理装置による機器の管理を行うために、管理装置と機器との間で事前に通信接続が確立される（たとえば、「ＺＩＧＢＥＥ  ＳＰＥＣＩＦＩＣＡＴＩＯＮ」、ＺｉｇＢｅｅ  Ａｌｌｉａｎｃｅ  Ｂｏａｒｄ  ｏｆ  Ｄｉｒｅｃｔｏｒｓ、２００８年１月１７日発行（非特許文献１）参照）。非特許文献１には、子機である機器と、親機である管理装置との通信接続を確立するための手順が開示されている。具体的には、子機は、所定の条件を満たす親機を検出し、検出した親機に対して通信接続を要求する。そして、親機が自己と同一の通信規格に従う子機からの接続要求を許可することにより、親機と子機との通信接続が確立される。
【先行技術文献】
【特許文献】
【０００４】
【特許文献１】国際公開第２０１４／１０３３４１号
【非特許文献】
【０００５】
【非特許文献１】「ＺＩＧＢＥＥ  ＳＰＥＣＩＦＩＣＡＴＩＯＮ」、ＺｉｇＢｅｅ  Ａｌｌｉａｎｃｅ  Ｂｏａｒｄ  ｏｆ  Ｄｉｒｅｃｔｏｒｓ、２００８年１月１７日発行
【発明の概要】
【発明が解決しようとする課題】
【０００６】
しかしながら、上記のような管理システムでは、親機と子機との間において予期しない組み合わせの通信接続が行われる可能性がある。たとえば、親機に対して管理対象ではない子機が通信接続されたり、子機が当該子機を管理する親機とは別の親機に通信接続されたりする可能性がある。
【０００７】
また、予期しない組み合わせの通信接続が行われることを避けるために、ユーザが管理対象である子機の識別情報などを予め親機に登録するなどの対応が考えられるが、登録のための手間を要する。
【０００８】
この発明は、上述の課題を解決するためになされたもので、その目的は、子機との間における予期しない組み合わせの通信接続を自動的に回避することのできる機器管理装置、端末装置、管理支援装置、機器管理システム、機器管理方法、表示処理方法、機器管理プログラムおよび表示処理プログラムを提供することである。
【課題を解決するための手段】
【０００９】
（１）上記課題を解決するために、この発明のある局面に係る機器管理装置は、１または複数の子機と通信可能であり、自己の前記機器管理装置との通信接続が許可されている前記子機である対象子機の識別情報を他の装置から受信する通信部と、前記通信部により受信された前記識別情報に基づいて、前記対象子機からの接続要求を選択的に許可して前記対象子機との通信接続を確立する処理を行う処理部とを備える。
【００１０】
（３）上記課題を解決するために、この発明のある局面に係る端末装置は、機器管理装置との通信接続が許可されている子機である対象子機の識別情報を他の装置から受信する通信部と、前記通信部により受信された前記識別情報を画面に表示する処理を行う表示処理部とを備える。
【００１１】
（５）上記課題を解決するために、この発明のある局面に係る管理支援装置は、機器管理装置の識別情報と子機の識別情報との対応関係を示す第１対応情報を取得する取得部と、対象の前記機器管理装置の識別情報を取得し、前記子機との通信接続を確立する命令を前記対象の機器管理装置へ送信する処理部とを備え、前記処理部は、前記取得部により取得された前記第１対応情報に基づいて、前記対象の機器管理装置の識別情報に対応する前記子機の識別情報を含む前記命令を送信する。
【００１２】
（７）上記課題を解決するために、この発明のある局面に係る機器管理システムは、１または複数の子機と通信可能な機器管理装置と、前記子機との通信接続を確立する命令を前記機器管理装置へ送信する管理支援装置とを備え、前記管理支援装置は、前記機器管理装置の識別情報と前記子機の識別情報との対応関係を示す第１対応情報に基づいて、対象の前記機器管理装置の識別情報に対応する前記子機の識別情報を含む前記命令を前記対象の機器管理装置へ送信する。
【００１３】
（８）上記課題を解決するために、この発明のある局面に係る機器管理方法は、機器管理装置における機器管理方法であって、前記機器管理装置との通信接続が許可されている子機である対象子機の識別情報を他の装置から受信するステップと、受信した前記識別情報に基づいて、前記対象子機からの接続要求を選択的に許可して前記対象子機と通信接続を確立する処理を行うステップとを含む。
【００１４】
（９）上記課題を解決するために、この発明のある局面に係る表示処理方法は、端末装置における表示処理方法であって、機器管理装置との通信接続が許可されている子機である対象子機の識別情報を他の装置から受信するステップと、受信した前記識別情報を画面に表示する処理を行うステップとを含む。
【００１５】
（１０）上記課題を解決するために、この発明の他の局面に係る機器管理方法は、子機との通信接続を確立する命令を機器管理装置へ送信する管理支援装置における機器管理方法であって、前記機器管理装置の識別情報と前記子機の識別情報との対応関係を示す第１対応情報、および対象の前記機器管理装置の識別情報を取得するステップと、取得した前記第１対応情報および前記対象の機器管理装置の識別情報に基づいて、前記対象の機器管理装置の識別情報に対応する前記子機の識別情報を含む前記命令を、前記対象の機器管理装置へ送信するステップとを含む。
【００１６】
（１１）上記課題を解決するために、この発明のある局面に係る機器管理プログラムは、機器管理装置において用いられる機器管理プログラムであって、コンピュータを、１または複数の子機と通信可能であり、自己の前記機器管理装置との通信接続が許可されている前記子機である対象子機の識別情報を他の装置から受信する通信部と、前記通信部により受信された前記識別情報に基づいて、前記対象子機からの接続要求を選択的に許可して前記対象子機との通信接続を確立する処理を行う処理部、として機能させるためのプログラムである。
【００１７】
（１２）上記課題を解決するために、この発明のある局面に係る表示処理プログラムは、端末装置において用いられる表示処理プログラムであって、コンピュータを、機器管理装置との通信接続が許可されている子機である対象子機の識別情報を他の装置から受信する通信部と、前記通信部により受信された前記識別情報を画面に表示する処理を行う表示処理部、として機能させるためのプログラムである。
【００１８】
（１３）上記課題を解決するために、この発明の他の局面に係る機器管理プログラムは、管理支援装置において用いられる機器管理プログラムであって、コンピュータを、機器管理装置の識別情報と子機の識別情報との対応関係を示す第１対応情報を取得する取得部と、対象の前記機器管理装置の識別情報を取得し、前記子機との通信接続を確立する命令を前記対象の機器管理装置へ送信する処理部、として機能させるためのプログラムであり、前記処理部は、前記取得部により取得された前記第１対応情報に基づいて、前記対象の機器管理装置の識別情報に対応する前記子機の識別情報を含む前記命令を送信する。
【００１９】
本発明は、このような特徴的な処理部を備える機器管理装置として実現することができるだけでなく、機器管理装置の一部または全部を実現する半導体集積回路として実現したり、機器管理装置を備える機器管理システムとして実現したりすることができる。
【００２０】
また、本発明は、このような特徴的な処理部を備える端末装置として実現することができるだけでなく、端末装置の一部または全部を実現する半導体集積回路として実現したり、端末装置を備える機器管理システムとして実現したりすることができる。
【００２１】
また、本発明は、このような特徴的な処理部を備える管理支援装置として実現することができるだけでなく、管理支援装置の一部または全部を実現する半導体集積回路として実現したり、管理支援装置を備える機器管理システムとして実現したりすることができる。
【発明の効果】
【００２２】
本発明によれば、機器管理装置と子機との間における予期しない組み合わせの通信接続を自動的に回避することができる。
【図面の簡単な説明】
【００２３】
【図１】図１は、本発明の第１の実施の形態に係る機器管理システムの構成を示す図である。
【図２】図２は、本発明の第１の実施の形態に係る機器管理装置の構成を示す図である。
【図３】図３は、本発明の第１の実施の形態に係るサーバの構成を示す図である。
【図４】図４は、本発明の第１の実施の形態に係る記憶装置に保存されている対応装置情報の一例を示す図である。
【図５】図５は、本発明の第１の実施の形態に係る記憶装置に保存されている対応センサ情報の一例を示す図である。
【図６】図６は、本発明の第１の実施の形態に係る端末装置の構成を示す図である。
【図７】図７は、本発明の第１の実施の形態に係る端末装置により表示される接続状態画面の一例（その１）を示す図である。
【図８】図８は、本発明の第１の実施の形態に係る端末装置により表示される接続状態画面の一例（その２）を示す図である。
【図９】図９は、本発明の第１の実施の形態に係る端末装置により表示される接続状態画面の一例（その３）を示す図である。
【図１０】図１０は、本発明の第１の実施の形態に係る機器管理システムにおける通信接続の確立処理の手順を定めたシーケンスの一例を示す図である。
【図１１】図１１は、本発明の第２の実施の形態に係る機器管理システムの構成を示す図である。
【図１２】図１２は、本発明の第２の実施の形態に係る機器管理装置の構成を示す図である。
【図１３】図１３は、本発明の第２の実施の形態に係る機器管理システムにおける通信接続の確立処理の手順を定めたシーケンスの一例を示す図である。
【発明を実施するための形態】
【００２４】
最初に、本発明の実施形態の内容を列記して説明する。
【００２５】
（１）本発明の実施の形態に係る機器管理装置は、１または複数の子機と通信可能であり、自己の前記機器管理装置との通信接続が許可されている前記子機である対象子機の識別情報を他の装置から受信する通信部と、前記通信部により受信された前記識別情報に基づいて、前記対象子機からの接続要求を選択的に許可して前記対象子機との通信接続を確立する処理を行う処理部とを備える。
【００２６】
このような構成により、ユーザが対象子機の識別情報の登録などを事前に行うことなく、対象子機からの接続要求が選択的に許可される。したがって、機器管理装置と子機との間における予期しない組み合わせの通信接続を自動的に回避することができる。
【００２７】
（２）好ましくは、前記処理部は、自己の前記機器管理装置との通信接続が許可されていない前記子機である非対象子機からの接続要求を拒否する処理、または前記非対象子機との通信接続を切断する処理を行い、接続要求を拒否する処理または通信接続を切断する処理を行ったことを示す接続拒否通知を前記通信部経由で他の装置へ送信する。
【００２８】
このような構成により、機器管理装置と非対象子機との通信接続が確立されることをより確実に回避することができる。また、機器管理装置が接続拒否通知を他の装置へ送信することにより、たとえば、機器管理装置と非対象子機との通信接続の確立が回避されたことをユーザに通知することができる。
【００２９】
（３）本発明の実施の形態に係る端末装置は、機器管理装置との通信接続が許可されている子機である対象子機の識別情報を他の装置から受信する通信部と、前記通信部により受信された前記識別情報を画面に表示する処理を行う表示処理部とを備える。
【００３０】
このような構成により、ユーザが画面の内容を確認することにより、対象子機を容易に把握することができるため、対象子機ではない子機を機器管理装置に通信接続させるような操作をユーザにおいて避けることができる。したがって、機器管理装置と子機との間における予期しない組み合わせの通信接続を自動的に回避することができる。
【００３１】
（４）好ましくは、前記表示処理部は、前記機器管理装置との通信接続が許可されていない子機である非対象子機からの接続要求が拒否された旨、または前記機器管理装置と前記非対象子機との通信接続が切断された旨をさらに表示する処理を行う。
【００３２】
このような構成により、ユーザが画面の内容を確認することにより、機器管理装置と非対象子機との通信接続の確立が回避されたことを容易に把握することができる。また、子機からの接続要求が拒否された旨、または機器管理装置と子機との通信接続が切断された旨が表示されるため、たとえば、ユーザが機器管理装置との通信接続の確立のための操作を子機に対して行った場合、機器管理装置と当該子機との通信接続が確立したか否かを容易に確認することができる。
【００３３】
（５）本発明の実施の形態に係る管理支援装置は、機器管理装置の識別情報と子機の識別情報との対応関係を示す第１対応情報を取得する取得部と、対象の前記機器管理装置の識別情報を取得し、前記子機との通信接続を確立する命令を前記対象の機器管理装置へ送信する処理部とを備え、前記処理部は、前記取得部により取得された前記第１対応情報に基づいて、前記対象の機器管理装置の識別情報に対応する前記子機の識別情報を含む前記命令を送信する。
【００３４】
このような構成により、機器管理装置は、管理支援装置からの命令に基づいて、自己との通信接続が許可されている子機からの接続要求を選択的に許可することができる。したがって、機器管理装置と子機との間における予期しない組み合わせの通信接続を自動的に回避することができる。
【００３５】
（６）好ましくは、前記取得部は、ユーザの識別情報と前記機器管理装置の識別情報との対応関係を示す第２対応情報をさらに取得し、前記処理部は、対象のユーザの識別情報を取得し、さらに、前記取得部により取得された前記第２対応情報に基づいて、前記対象のユーザの識別情報に対応する前記機器管理装置の識別情報を前記対象の機器管理装置の識別情報として取得する。
【００３６】
このような構成により、ユーザが自己の識別情報を入力することで、自己の識別情報に対応する機器管理装置と、当該機器管理装置の管理対象である子機との通信接続の確立を指示することができる。このため、ユーザが機器管理装置の識別情報などを把握する必要がない。
【００３７】
（７）本発明の実施の形態に係る機器管理システムは、１または複数の子機と通信可能な機器管理装置と、前記子機との通信接続を確立する命令を前記機器管理装置へ送信する管理支援装置とを備え、前記管理支援装置は、前記機器管理装置の識別情報と前記子機の識別情報との対応関係を示す第１対応情報に基づいて、対象の前記機器管理装置の識別情報に対応する前記子機の識別情報を含む前記命令を前記対象の機器管理装置へ送信する。
【００３８】
このような構成により、機器管理装置は、管理支援装置からの命令に基づいて、自己との通信接続が許可されている子機からの接続要求を選択的に許可することができる。したがって、機器管理装置と子機との間における予期しない組み合わせの通信接続を自動的に回避することができる。
【００３９】
（８）本発明の実施の形態に係る機器管理方法は、機器管理装置における機器管理方法であって、前記機器管理装置との通信接続が許可されている子機である対象子機の識別情報を他の装置から受信するステップと、受信した前記識別情報に基づいて、前記対象子機からの接続要求を選択的に許可して前記対象子機と通信接続を確立する処理を行うステップとを含む。
【００４０】
このような方法により、ユーザが対象子機の識別情報の登録などを事前に行うことなく、対象子機からの接続要求が選択的に許可される。したがって、機器管理装置と子機との間における予期しない組み合わせの通信接続を自動的に回避することができる。
【００４１】
（９）本発明の実施の形態に係る表示処理方法は、端末装置における表示処理方法であって、機器管理装置との通信接続が許可されている子機である対象子機の識別情報を他の装置から受信するステップと、受信した前記識別情報を画面に表示する処理を行うステップとを含む。
【００４２】
このような方法により、ユーザが画面の内容を確認することにより、対象子機を容易に把握することができるため、対象子機ではない子機を機器管理装置に通信接続させるような操作をユーザにおいて避けることができる。したがって、機器管理装置と子機との間における予期しない組み合わせの通信接続を自動的に回避することができる。
【００４３】
（１０）本発明の実施の形態に係る機器管理方法は、子機との通信接続を確立する命令を機器管理装置へ送信する管理支援装置における機器管理方法であって、前記機器管理装置の識別情報と前記子機の識別情報との対応関係を示す第１対応情報、および対象の前記機器管理装置の識別情報を取得するステップと、取得した前記第１対応情報および前記対象の機器管理装置の識別情報に基づいて、前記対象の機器管理装置の識別情報に対応する前記子機の識別情報を含む前記命令を、前記対象の機器管理装置へ送信するステップとを含む。
【００４４】
このような方法により、機器管理装置は、管理支援装置からの命令に基づいて、自己との通信接続が許可されている子機からの接続要求を選択的に許可することができる。したがって、機器管理装置と子機との間における予期しない組み合わせの通信接続を自動的に回避することができる。
【００４５】
（１１）本発明の実施の形態に係る機器管理プログラムは、機器管理装置において用いられる機器管理プログラムであって、コンピュータを、１または複数の子機と通信可能であり、自己の前記機器管理装置との通信接続が許可されている前記子機である対象子機の識別情報を他の装置から受信する通信部と、前記通信部により受信された前記識別情報に基づいて、前記対象子機からの接続要求を選択的に許可して前記対象子機との通信接続を確立する処理を行う処理部、として機能させるためのプログラムである。
【００４６】
このような構成により、ユーザが機器管理装置の管理対象である子機の識別情報の登録などを事前に行うことなく、当該機器管理装置との通信接続が許可されている子機からの接続要求が選択的に許可される。したがって、機器管理装置と子機との間における予期しない組み合わせの通信接続を自動的に回避することができる。
【００４７】
（１２）本発明の実施の形態に係る表示処理プログラムは、端末装置において用いられる表示処理プログラムであって、コンピュータを、機器管理装置との通信接続が許可されている子機である対象子機の識別情報を他の装置から受信する通信部と、前記通信部により受信された前記識別情報を画面に表示する処理を行う表示処理部、として機能させるためのプログラムである。
【００４８】
このような構成により、ユーザが画面の内容を確認することにより、対象子機を容易に把握することができるため、対象子機ではない子機を機器管理装置に通信接続させるような操作をユーザにおいて避けることができる。したがって、機器管理装置と子機との間における予期しない組み合わせの通信接続を自動的に回避することができる。
【００４９】
（１３）本発明の実施の形態に係る機器管理プログラムは、管理支援装置において用いられる機器管理プログラムであって、コンピュータを、機器管理装置の識別情報と子機の識別情報との対応関係を示す第１対応情報を取得する取得部と、対象の前記機器管理装置の識別情報を取得し、前記子機との通信接続を確立する命令を前記対象の機器管理装置へ送信する処理部、として機能させるためのプログラムであり、前記処理部は、前記取得部により取得された前記第１対応情報に基づいて、前記対象の機器管理装置の識別情報に対応する前記子機の識別情報を含む前記命令を送信する。
【００５０】
このような構成により、機器管理装置は、管理支援装置からの命令に基づいて、自己との通信接続が許可されている子機からの接続要求を選択的に許可することができる。したがって、機器管理装置と子機との間における予期しない組み合わせの通信接続を自動的に回避することができる。
【００５１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５２】
＜第１の実施の形態＞
［構成および基本動作］
（全体構成）
図１は、本発明の第１の実施の形態に係る機器管理システムの構成を示す図である。
【００５３】
図１を参照して、機器管理システム３０１は、１または複数の機器管理装置１０１と、サーバ（管理支援装置）１０２と、記憶装置１０３と、１または複数の端末装置１３１と、１または複数のセンサ（子機）１５１とを備える。
【００５４】
図１では、一例として、３つのセンサ１５１Ａ，１５１Ｂ，１５１Ｚを示している。また、図１では、一例として、１つの機器管理装置１０１および１つの端末装置１３１を示している。
【００５５】
センサ１５１は、一般家庭またはオフィスなどの施設に設けられた、温湿度センサ、ドア開閉センサまたは人感センサなどである。
【００５６】
記憶装置１０３には、データベースが保存されている。当該データベースには、ユーザの識別情報（以下、「ユーザＩＤ」と称する。）と、機器管理装置１０１の識別情報（以下、「装置ＩＤ」と称する。）との対応関係を示す対応装置情報（第２対応情報）が含まれている。
【００５７】
また、当該データベースには、装置ＩＤと、センサ１５１の識別情報（以下、「センサＩＤ」と称する。）との対応関係を示す対応センサ情報（第１対応情報）が含まれている。さらに、当該データベースには、予め登録されたユーザＩＤおよびパスワードの組が複数含まれている。
【００５８】
サーバ１０２は、記憶装置１０３におけるデータベースから対応装置情報および対応センサ情報を取得可能である。
【００５９】
機器管理装置１０１は、たとえば、一般家庭またはオフィスなどの施設に設けられたＨＥＭＳ（Ｈｏｍｅ  Ｅｎｅｒｇｙ  Ｍａｎａｇｅｍｅｎｔ  Ｓｙｓｔｅｍ）である。機器管理装置１０１は、たとえばＺｉｇＢｅｅ（登録商標）またはＺ−Ｗａｖｅなどの通信規約に従い、自己との通信接続が確立したセンサ１５１との間で情報の送受信を行うことにより、センサ１５１を管理する。
【００６０】
なお、子機１５１は、センサに限らず、機器管理装置１０１との通信接続を確立可能な他の種類の機器であってもよい。
【００６１】
（機器管理装置）
図２は、本発明の第１の実施の形態に係る機器管理装置の構成を示す図である。
【００６２】
図２を参照して、機器管理装置１０１は、通信部１１と、処理部１２と、記憶部１３とを含む。通信部１１は、他の装置と情報の送受信を行うことが可能である。この例では、通信部１１は、サーバ１０２との間でネットワーク１６１を介して情報を送受信したり、センサ１５１との間で情報を送受信したりすることが可能である。
【００６３】
記憶部１３は、自己の機器管理装置１０１の装置ＩＤを保持する。処理部２２は、センサ１５１との通信接続を確立するための処理を行う。
【００６４】
より詳細には、図１を参照して、たとえば、ユーザが自己のユーザＩＤおよびパスワードを端末装置１３１に入力する操作を行い、ユーザによるログインが完了すると、端末装置１３１は、当該ユーザＩＤを含むペアリング要求をネットワーク１６１経由でサーバ１０２へ送信する。
【００６５】
サーバ１０２は、記憶装置１０３におけるデータベースから対応装置情報および対応センサ情報を取得する。そして、サーバ１０２は、取得した対応装置情報および対応センサ情報に基づいて、端末装置１３１からのペアリング要求に含まれるユーザＩＤに対応する装置ＩＤおよびセンサＩＤを取得する。
【００６６】
そして、サーバ１０２は、センサ１５１との通信接続命令を、取得した装置ＩＤに対応する機器管理装置１０１へネットワーク１６１経由で送信する。この通信接続命令には、サーバ１０２により取得されたセンサＩＤが含まれる。なお、サーバ１０２による装置ＩＤおよびセンサＩＤの取得の詳細については、後述する。
【００６７】
再び図２を参照して、機器管理装置１０１における処理部１２は、サーバ１０２からの通信接続命令をネットワーク１６１および通信部１１経由で受信し、受信した通信接続命令に含まれるセンサＩＤを記憶部１３に保存する。また、処理部１２は、通信接続命令を受けたタイミングから所定時間が経過するまでの間、センサ１５１からの接続要求の受け付けを行うペアリングモードで動作する。
【００６８】
そして、処理部１２は、ペアリングモードで動作している期間において、センサ１５１からの接続要求を通信部１１経由で受信した場合、当該接続要求を許可すべきか否かを判断する。すなわち、処理部１２は、自己の機器管理装置１０１との通信接続が許可されているセンサ（以下、「対象センサ」とも称する。）１５１からの接続要求を選択的に許可する。
【００６９】
より詳細には、センサ１５１からの接続要求には当該センサ１５１のセンサＩＤが含まれている。処理部１２は、受信した接続要求に含まれているセンサＩＤと一致するセンサＩＤが、記憶部１３に保存されているか否かを確認する。
【００７０】
そして、処理部１２は、接続要求に含まれるセンサＩＤと一致するセンサＩＤが記憶部１３に保存されている場合、当該接続要求を許可すべきと判断し、当該センサＩＤに対応するセンサ１５１との通信接続を確立するための処理を行う。そして、処理部１２は、当該センサ１５１との通信接続が確立されたことを示す接続完了通知を、通信部１１およびネットワーク１６１経由でサーバ１０２へ送信する。
【００７１】
接続完了通知には、たとえば、送信元である機器管理装置１０１の装置ＩＤ、通信接続の確立したセンサ１５１のセンサＩＤ、および現在時刻が含まれる。
【００７２】
一方、処理部１２は、ペアリングモードで動作している期間において、自己の機器管理装置１０１との通信接続が許可されていないセンサ（以下、「非対象センサ」とも称する。）１５１からの接続要求を受信した場合、すなわち当該接続要求に含まれるセンサＩＤと一致するセンサＩＤが記憶部１３に保存されていない場合、当該センサ１５１からの接続要求を拒否する。具体的には、処理部１２は、当該センサ１５１からの接続要求を拒否する旨を示す接続拒否通知を、通信部１１およびネットワーク１６１経由でサーバ１０２へ送信する。
【００７３】
接続拒否通知には、たとえば、送信元である機器管理装置１０１の装置ＩＤ、および接続要求が拒否されたセンサ１５１のセンサＩＤが含まれる。
【００７４】
なお、処理部１２は、非対象センサ１５１からの接続要求を受信した場合、当該非対象センサ１５１との通信接続を確立する処理を行った後に、当該非対象センサ１５１との通信接続を切断する構成であってもよい。
【００７５】
また、処理部１２は、自己の機器管理装置１０１との通信接続が確立したセンサ１５１を管理する。具体的には、当該センサ１５１が温湿度センサである場合、当該センサ１５１は、たとえば、計測した温度および湿度を示す温湿度情報を、定期的または不定期に機器管理装置１０１へ送信する。機器管理装置１０１における処理部１２は、当該センサ１５１からの温湿度情報を通信部１１経由で受信し、受信した温湿度情報を記憶部１３に保存する。
【００７６】
そして、端末装置１３１は、たとえば、ユーザが端末装置１３１を操作することにより施設内における温度および湿度の表示を要求した場合、ユーザの操作内容を示す操作情報をネットワーク１６１およびサーバ１０２経由で機器管理装置１０１へ送信する。
【００７７】
機器管理装置１０１における処理部１２は、端末装置１３１からの操作情報を通信部１１経由で受信すると、記憶部１３に保存されている温湿度情報を通信部１１、ネットワーク１６１およびサーバ１０２経由で端末装置１３１へ送信する。
【００７８】
そして、端末装置１３１は、機器管理装置１０１からの温湿度情報を受信すると、たとえば、当該温室度情報に基づく画面を自己のモニタ等に表示する処理を行う。
【００７９】
なお、処理部１２は、接続完了通知の送信および接続拒否通知の送信を行う構成に限らず、接続完了通知および接続拒否通知のうちの少なくとも一方の送信を行わない構成であってもよい。
【００８０】
（サーバおよび記憶装置）
図３は、本発明の第１の実施の形態に係るサーバの構成を示す図である。
【００８１】
図３を参照して、サーバ１０２は、通信部（取得部）２１と、処理部２２とを含む。通信部２１は、他の装置と情報の送受信を行うことが可能である。この例では、通信部２１は、機器管理装置１０１との間でネットワーク１６１を介して情報を送受信したり、端末装置１３１との間でネットワーク１６１を介して情報を送受信したり、記憶装置１０３との間で情報を送受信したりすることが可能である。
【００８２】
処理部２２は、端末装置１３１からのユーザＩＤおよびパスワードをネットワーク１６１および通信部２１経由で受信すると、端末装置１３１からのユーザＩＤおよびパスワードの組が、記憶装置１０３に保存されているユーザＩＤおよびパスワードの複数の組のいずれか１つと一致するか否かを確認する。
【００８３】
そして、処理部２２は、端末装置１３１からのユーザＩＤおよびパスワードの組が、記憶装置１０３に保存されている複数の組のいずれか１つと一致する場合、当該ユーザＩＤおよびパスワードを承認する。そして、処理部２２は、当該ユーザＩＤおよびパスワードを承認することによりログインが完了すると、ログインが完了したことを示すログイン完了通知を通信部２１およびネットワーク１６１経由で端末装置１３１へ送信する。
【００８４】
また、通信部２１は、ユーザのログインが完了した後に端末装置１３１からのペアリング要求をネットワーク１６１経由で受信すると、記憶装置１０３におけるデータベースから対応装置情報および対応センサ情報を取得し、取得した対応装置情報および対応センサ情報を処理部２２へ出力する。
【００８５】
処理部２２は、通信部２１から受けた対応装置情報に基づいて、端末装置１３１からのペアリング要求に含まれるユーザＩＤに対応する装置ＩＤを取得する。また、処理部２２は、通信部２１から受けた対応センサ情報に基づいて、当該装置ＩＤに対応するセンサＩＤを取得する。
【００８６】
図４は、本発明の第１の実施の形態に係る記憶装置に保存されている対応装置情報の一例を示す図である。
【００８７】
図４を参照して、記憶装置１０３は、たとえば、対応装置情報の内容を示すテーブルＴａ１を保存している。
【００８８】
具体的には、テーブルＴａ１では、ユーザＩＤ「ｔａｒｏ＠ｓａｍｐｌｅ．ｃｏｍ」と装置ＩＤ「Ｈ１１１１」とが対応付けられ、ユーザＩＤ「ｈａｎａｋｏ＠ｓａｍｐｌｅ．ｃｏｍ」と装置ＩＤ「Ｈ１１１２」とが対応付けられ、ユーザＩＤ「ｊｉｒｏ＠ｓａｍｐｌｅ．ｃｏｍ」と装置ＩＤ「Ｈ１１１３」とが対応付けられている。
【００８９】
ここでは、処理部２２は、端末装置１３１からのペアリング要求に含まれるユーザＩＤが「ｔａｒｏ＠ｓａｍｐｌｅ．ｃｏｍ」である場合、ユーザＩＤ「ｔａｒｏ＠ｓａｍｐｌｅ．ｃｏｍ」に対応する装置ＩＤ「Ｈ１１１１」をテーブルＴａ１から抽出する。
【００９０】
図５は、本発明の第１の実施の形態に係る記憶装置に保存されている対応センサ情報の一例を示す図である。
【００９１】
図５を参照して、記憶装置１０３は、たとえば、対応センサ情報の内容を示すテーブルＴａ２を保存している。対応センサ情報は、装置ＩＤとセンサＩＤとの対応関係に加えて、さらに、機器管理装置１０１とセンサ１５１との間の最終通信時刻、すなわち直近の通信時刻を含む。
【００９２】
具体的には、テーブルＴａ２では、装置ＩＤ「Ｈ１１１１」とセンサＩＤ「Ｓ０００１」および「Ｓ０００２」とが対応付けられている。センサＩＤ「Ｓ０００１」は図１に示すセンサ１５１ＡのセンサＩＤであり、センサＩＤ「Ｓ０００２」は図１に示すセンサ１５１ＢのセンサＩＤである。
【００９３】
すなわち、装置ＩＤ「Ｈ１１１１」に対応する機器管理装置１０１に対して、センサ１５１Ａおよびセンサ１５１Ｂは対象センサであり、センサ１５１Ａおよびセンサ１５１Ｂ以外のセンサ１５１は非対象センサである。
【００９４】
また、テーブルＴａ２では、装置ＩＤ「Ｈ１１１２」とセンサＩＤ「Ｓ００１１」とが対応付けられている。センサＩＤ「Ｓ００１１」は図示しないセンサ１５１のセンサＩＤである。
【００９５】
また、テーブルＴａ２では、各センサ１５１の接続状態が示されている。具体的には、テーブルＴａ２では、たとえば、センサ１５１Ａが機器管理装置１０１に未接続であることを示す「ｎｕｌｌ」の文字が、「最終通信時刻」の項目であってセンサＩＤ「Ｓ０００１」に対応する箇所に表示されている。また、同様に、「最終通信時刻」の項目であってセンサＩＤ「Ｓ０００２」および「Ｓ００１１」にそれぞれ対応する箇所に「ｎｕｌｌ」の文字が表示されている。
【００９６】
処理部２２は、図４に示すテーブルＴａ１から抽出した装置ＩＤが「Ｈ１１１１」であるとすると、図５に示すテーブルＴａ２から、装置ＩＤ「Ｈ１１１１」に対応するセンサＩＤ「Ｓ０００１」および「Ｓ０００２」を抽出する。
【００９７】
そして、処理部２２は、たとえば、抽出したセンサＩＤ「Ｓ０００１」および「Ｓ０００２」、センサ１５１Ａが未接続であること、ならびにセンサ１５１Ｂが未接続であることを示す接続状態情報を、通信部２１およびネットワーク１６１経由で端末装置１３１へ送信する。
【００９８】
また、処理部２２は、抽出したセンサＩＤ「Ｓ０００１」および「Ｓ０００２」を含む通信接続命令を、装置ＩＤ「Ｈ１１１１」に対応する機器管理装置１０１へ、通信部２１およびネットワーク１６１経由で送信する。
【００９９】
そして、処理部２２は、たとえば、機器管理装置１０１とセンサ１５１Ａとの通信接続が確立して機器管理装置１０１から接続完了通知が送信されると、機器管理装置１０１からの接続完了通知をネットワーク１６１および通信部２１経由で受信する。そして、処理部２２は、受信した接続完了通知に基づいて、記憶装置１０３に保存されている対応センサ情報の内容のうちセンサ１５１Ａの接続状態を変更して更新する。
【０１００】
また、処理部２２は、通信部２１からの対応装置情報から、接続完了通知に含まれる装置ＩＤに対応するユーザＩＤを抽出し、抽出したユーザＩＤに対応する端末装置１３１へ、当該接続完了通知を通信部２１およびネットワーク１６１経由で送信する。
【０１０１】
（端末装置）
図６は、本発明の第１の実施の形態に係る端末装置の構成を示す図である。
【０１０２】
図６を参照して、端末装置１３１は、受付部３１と、表示処理部３２と、通信部３３と、記憶部３４とを含む。
【０１０３】
通信部３３は、他の装置と情報の送受信を行うことが可能である。この例では、通信部３３は、サーバ１０２との間でネットワーク１６１を介して情報を送受信することが可能である。
【０１０４】
受付部３１は、たとえば、ユーザによるログインの指示を受け付ける。具体的には、ユーザが端末装置１３１を操作することにより、ユーザＩＤおよびパスワードを端末装置１３１に入力すると、端末装置１３１における受付部３１は、ユーザにより入力されたユーザＩＤおよびパスワードを通信部３３およびネットワーク１６１経由でサーバ１０２へ送信する。
【０１０５】
そして、サーバ１０２により当該ユーザＩＤおよびパスワードが承認されてログインが完了すると、サーバ１０２がログイン完了通知をネットワーク１６１経由で端末装置１３１へ送信する。
【０１０６】
端末装置１３１における受付部３１は、サーバ１０２からのログイン完了通知を通信部３３経由で受信すると、ユーザにより入力されたユーザＩＤを含むペアリング要求を作成する。そして、受付部３１は、作成したペアリング要求を通信部３３およびネットワーク１６１経由でサーバ１０２へ送信する。
【０１０７】
表示処理部３２は、各センサ１５１の接続状態を示す接続状態画面Ｓｃを、自己の端末装置１３１におけるモニタ等に表示する処理を行う。なお、表示処理部３２は、自己の端末装置１３１とは別の表示装置に接続状態画面Ｓｃを表示する処理を行う構成であってもよい。
【０１０８】
図７は、本発明の第１の実施の形態に係る端末装置により表示される接続状態画面の一例（その１）を示す図である。
【０１０９】
たとえば、サーバ１０２が各センサ１５１の接続状態を示す接続状態情報をネットワーク１６１経由で端末装置１３１へ送信すると、端末装置１３１における表示処理部３２は、通信部３３経由で当該接続状態情報を受信する。そして、表示処理部３２は、受信した接続状態情報に基づいて接続状態画面Ｓｃを表示する処理を行う。また、表示処理部３２は、受信した接続状態情報を記憶部３４に保存する。
【０１１０】
図７を参照して、たとえば、接続状態画面Ｓｃには、センサ１５１Ａおよびセンサ１５１Ｂが示され、さらに、これらのセンサ１５１Ａおよびセンサ１５１Ｂはいずれも未接続の状態であることが示される。
【０１１１】
再び図６を参照して、端末装置１３１における表示処理部３２は、機器管理装置１０１がセンサ１５１との通信接続を確立するための処理を行い、接続完了通知をサーバ１０２およびネットワーク１６１経由で端末装置１３１へ送信すると、当該接続完了通知を通信部３３経由で受信する。
【０１１２】
そして、表示処理部３２は、受信した接続完了通知に基づいて、記憶部３４に保存されている接続状態情報の内容を変更して更新する。そして、表示処理部３２は、更新後の接続状態情報に基づく接続状態画面Ｓｃを、自己の端末装置１３１におけるモニタ等に表示する処理を行う。
【０１１３】
図８は、本発明の第１の実施の形態に係る端末装置により表示される接続状態画面の一例（その２）を示す図である。
【０１１４】
図８を参照して、たとえば、接続状態画面Ｓｃには、センサ１５１Ａおよびセンサ１５１Ｂが示され、さらに、センサ１５１Ａと機器管理装置１０１との通信接続の確立が１６時２８分に完了したこと、ならびにセンサ１５１Ｂは未接続の状態であることが示される。
【０１１５】
再び図６を参照して、機器管理装置１０１が非対象センサ１５１からの接続要求を拒否し、接続拒否通知をサーバ１０２およびネットワーク１６１経由で端末装置１３１へ送信すると、端末装置１３１における表示処理部３２は、当該接続拒否通知を通信部３３経由で受信する。そして、表示処理部３２は、受信した接続拒否通知、および記憶部３４に保存されている接続状態情報に基づいて、接続状態画面Ｓｃを自己の端末装置１３１におけるモニタ等に表示する処理を行う。
【０１１６】
図９は、本発明の第１の実施の形態に係る端末装置により表示される接続状態画面の一例（その３）を示す図である。
【０１１７】
図９を参照して、たとえば、接続状態画面Ｓｃには、センサ１５１Ａおよびセンサ１５１Ｂが示され、さらに、これらのセンサ１５１Ａおよびセンサ１５１Ｂはいずれも未接続の状態であること、ならびにセンサＩＤ「Ｓ９９９９」に対応する非対象センサ１５１からの接続要求が拒否されたことが示される。
【０１１８】
なお、表示処理部３２は、各対象センサ１５１のセンサＩＤを表示する処理を行う構成であればよい。すなわち、表示処理部３２により表示された画面には、各対象センサ１５１の接続状態が含まれなくてもよい。また、表示処理部３２により表示された画面には、非対象センサ１５１からの接続要求が拒否された旨が含まれなくてもよい。
【０１１９】
［動作］
機器管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１２０】
図１０は、本発明の第１の実施の形態に係る機器管理システムにおける通信接続の確立処理の手順を定めたシーケンスの一例を示す図である。
【０１２１】
図１０を参照して、まず、端末装置１３１は、ユーザによるログインの指示、すなわちユーザＩＤおよびパスワードの入力を受け付ける（ステップＳ１１）。
【０１２２】
次に、端末装置１３１は、ユーザにより入力されたユーザＩＤおよびパスワードをネットワーク１６１経由でサーバ１０２へ送信する（ステップＳ１２）。
【０１２３】
次に、サーバ１０２は、たとえば、端末装置１３１からのユーザＩＤおよびパスワードの組が、記憶装置１０３に保存されている複数の組のいずれか１つと一致するか否かを確認する。そして、サーバ１０２は、これらが一致する場合、端末装置１３１からのユーザＩＤおよびパスワードを承認し、ログイン完了通知をネットワーク１６１経由で端末装置１３１へ送信する（ステップＳ１３）。
【０１２４】
なお、サーバ１０２は、端末装置１３１からのユーザＩＤおよびパスワードの組が、記憶装置１０３に保存されている複数の組のいずれとも一致しない場合、たとえば、ログイン拒否通知をネットワーク１６１経由で端末装置１３１へ送信する。そして、端末装置１３１は、たとえば、サーバ１０２からのログイン拒否通知をネットワーク１６１経由で受信し、受信したログイン拒否通知に基づいて、ユーザによるログインが拒否されたことを自己のモニタ等に表示する処理を行う。
【０１２５】
次に、端末装置１３１は、ユーザによるログインが完了すると、ユーザにより入力されたユーザＩＤを含むペアリング要求を、ネットワーク１６１経由でサーバ１０２へ送信する（ステップＳ１４）。
【０１２６】
次に、サーバ１０２は、端末装置１３１からのペアリング要求を受信すると、記憶装置１０３に保存されている対応装置情報および対応センサ情報を取得する。そして、サーバ１０２は、取得した対応装置情報および対応センサ情報に基づいて、ペアリング要求に含まれるユーザＩＤに対応する装置ＩＤ、および当該装置ＩＤに対応する１または複数のセンサＩＤを取得する。
【０１２７】
また、サーバ１０２は、取得した１または複数のセンサＩＤにそれぞれ対応する１または複数のセンサ１５１の各々の接続状態を確認する。
【０１２８】
ここでは、ユーザにより入力されたユーザＩＤが「ｔａｒｏ＠ｓａｍｐｌｅ．ｃｏｍ」であり、当該ユーザＩＤに対応する装置ＩＤが「Ｈ１１１１」であり、当該装置ＩＤに対応するセンサＩＤが「Ｓ０００１」および「Ｓ０００２」であるとする。また、センサＩＤ「Ｓ０００１」に対応するセンサ１５１Ａ、およびセンサＩＤ「Ｓ０００２」に対応するセンサ１５１Ｂはいずれも未接続の状態であるとする（ステップＳ１５）。
【０１２９】
次に、サーバ１０２は、取得したセンサＩＤ「Ｓ０００１」および「Ｓ０００２」、ならびに、センサ１５１Ａおよびセンサ１５１Ｂがいずれも未接続の状態であることを示す接続状態情報を、ネットワーク１６１経由で端末装置１３１へ送信する（ステップＳ１６）。
【０１３０】
次に、端末装置１３１は、サーバ１０２からの接続状態情報を保存する。また、端末装置１３１は、当該接続状態情報に基づいて、センサＩＤ「Ｓ０００１」および「Ｓ０００２」、ならびにセンサ１５１Ａおよびセンサ１５１Ｂがいずれも未接続の状態であることを示す接続状態画面Ｓｃを、自己のモニタ等に表示する表示処理を行う（ステップＳ１７）。
【０１３１】
次に、サーバ１０２は、装置ＩＤ「Ｈ１１１１」、ならびにセンサＩＤ「Ｓ０００１」および「Ｓ０００２」を含む通信接続命令を、装置ＩＤ「Ｈ１１１１」に対応する機器管理装置１０１へネットワーク１６１経由で送信する（ステップＳ１８）。
【０１３２】
次に、機器管理装置１０１は、サーバ１０２からの通信接続命令を受信すると、ペアリングモードでの動作を開始する（ステップＳ１９）。
【０１３３】
そして、機器管理装置１０１がペアリングモードで動作している期間において、たとえば、ユーザがセンサ１５１Ａに設けられた通信接続のためのペアリングボタンを押したとする。この場合、センサ１５１Ａは、自己のセンサＩＤを含む接続要求を機器管理装置１０１へ送信する（ステップＳ２０）。
【０１３４】
次に、機器管理装置１０１は、センサ１５１Ａからの接続要求を受信すると、受信した接続要求の送信元が対象センサであるか否かを判断する。ここでは、センサ１５１Ａからの接続要求に含まれるセンサＩＤ「Ｓ０００１」がサーバ１０２からの通信接続命令に含まれているセンサＩＤと一致する。このため、機器管理装置１０１は、当該接続要求の送信元であるセンサ１５１Ａは対象センサであると判断し、センサ１５１Ａからの接続要求を受け入れる（ステップＳ２１）。
【０１３５】
次に、機器管理装置１０１は、接続要求を受け入れたことを示す接続応答をセンサ１５１Ａへ送信する（ステップＳ２２）。
【０１３６】
次に、機器管理装置１０１は、センサ１５１Ａとの通信接続を確立するための処理を行い、自己の装置ＩＤ「Ｈ１１１１」、通信接続の確立したセンサ１５１ＡのセンサＩＤ「Ｓ０００１」および現在時刻を含む接続完了通知を、ネットワーク１６１経由でサーバ１０２へ送信する（ステップＳ２３）。
【０１３７】
次に、サーバ１０２は、機器管理装置１０１からの接続完了通知を受信すると、受信した接続完了通知に基づいて、記憶装置１０３に保存されているテーブルＴａ２の内容を変更して更新する。具体的には、サーバ１０２は、たとえば、図５に示すテーブルＴａ２のうちセンサＩＤ「Ｓ０００１」に対応する「最終通信時刻」の項目を、「ｎｕｌｌ」から接続完了通知の示す時刻へ変更して更新する（ステップＳ２４）。
【０１３８】
次に、サーバ１０２は、機器管理装置１０１からの接続完了通知を、ネットワーク１６１経由で端末装置１３１へ送信する（ステップＳ２５）。
【０１３９】
次に、端末装置１３１は、サーバ１０２からの接続完了通知を受信すると、当該接続完了通知に基づいて、保存している接続状態情報の内容のうちセンサ１５１Ａの接続状態を変更して更新する。そして、端末装置１３１は、更新後の接続状態情報に基づく接続状態画面Ｓｃを、自己のモニタ等に表示する表示処理を行う（ステップＳ２６）。
【０１４０】
また、機器管理装置１０１がペアリングモードで動作している期間において、たとえば、ユーザがセンサ１５１Ｚに設けられた通信接続のためのペアリングボタンを押したとする。この場合、センサ１５１Ｚは、自己のセンサＩＤ「Ｓ９９９９」を含む接続要求を機器管理装置１０１へ送信する（ステップＳ２７）。
【０１４１】
次に、機器管理装置１０１は、センサ１５１Ｚからの接続要求を受信すると、受信した接続要求の送信元が対象センサであるか否かを判断する。ここでは、当該接続要求に含まれるセンサＩＤ「Ｓ９９９９」がサーバ１０２からの通信接続命令に含まれているセンサＩＤと一致しないため、機器管理装置１０１は、当該接続要求の送信元であるセンサ１５１Ｚは非対象センサであると判断し、センサ１５１Ｚからの接続要求を拒否する（ステップＳ２８）。
【０１４２】
次に、機器管理装置１０１は、接続要求を拒否したことを示す接続応答をセンサ１５１Ｚへ送信する（ステップＳ２９）。
【０１４３】
次に、機器管理装置１０１は、自己の装置ＩＤ「Ｈ１１１１」および接続要求を拒否したセンサ１５１ＺのセンサＩＤ「Ｓ９９９９」を含む接続拒否通知を、ネットワーク１６１経由でサーバ１０２へ送信する（ステップＳ３０）。
【０１４４】
次に、サーバ１０２は、機器管理装置１０１からの接続拒否通知を受信すると、当該接続拒否通知をネットワーク１６１経由で端末装置１３１へ送信する（ステップＳ３１）。
【０１４５】
次に、端末装置１３１は、サーバ１０２からの接続拒否通知を受信すると、当該接続拒否通知および保存している接続状態情報に基づいて、たとえば、センサ１５１Ａおよびセンサ１５１Ｂがいずれも未接続の状態であること、ならびにセンサＩＤ「Ｓ９９９９」に対応するセンサ１５１Ｚからの接続要求が拒否されたことを示す接続状態画面Ｓｃを、自己のモニタ等に表示する表示処理を行う（ステップＳ３２）。
【０１４６】
ところで、上述した非特許文献１に記載のような管理システムでは、親機と子機との間において予期しない組み合わせの通信接続が行われる可能性がある。たとえば、親機に対して管理対象ではない子機が通信接続されたり、子機が当該子機を管理する親機とは別の親機に通信接続されたりする可能性がある。
【０１４７】
これに対して、本発明の第１の実施の形態に係る機器管理装置１０１では、通信部１１が、１または複数のセンサ１５１と通信可能であり、自己の機器管理装置１０１との通信接続が許可されている対象センサ１５１のセンサＩＤをサーバ１０２からネットワーク１６１経由で受信する。また、処理部１２が、通信部１１により受信されたセンサＩＤに基づいて、対象センサ１５１からの接続要求を選択的に許可して対象センサ１５１との通信接続を確立する処理を行う。
【０１４８】
このような構成により、ユーザが対象センサ１５１のセンサＩＤの登録などを事前に行うことなく、対象センサ１５１からの接続要求が選択的に許可される。したがって、機器管理装置１０１とセンサ１５１との間における予期しない組み合わせの通信接続を自動的に回避することができる。
【０１４９】
また、本発明の第１の実施の形態に係る機器管理装置１０１では、処理部１２が、自己の機器管理装置１０１との通信接続が許可されていない非対象センサ１５１からの接続要求を拒否する処理、または非対象センサ１５１との通信接続を切断する処理を行う。また、処理部１２が、接続要求を拒否する処理または通信接続を切断する処理を行ったことを示す接続拒否通知を通信部１１およびネットワーク１６１経由でサーバ１０２へ送信する。
【０１５０】
このような構成により、機器管理装置１０１と非対象センサ１５１との通信接続が確立されることをより確実に回避することができる。また、機器管理装置１０１が、たとえば、接続拒否通知をネットワーク１６１およびサーバ１０２経由でユーザの端末装置１３１へ送信することにより、機器管理装置１０１と非対象センサ１５１との通信接続の確立が回避されたことをユーザに通知することができる。
【０１５１】
また、本発明の第１の実施の形態に係る端末装置１３１では、通信部３３が、機器管理装置１０１との通信接続が許可されている対象センサ１５１のセンサＩＤをサーバ１０２からネットワーク１６１経由で受信する。また、表示処理部３２が、通信部３３により受信されたセンサＩＤを画面に表示する処理を行う。
【０１５２】
このような構成により、ユーザが画面の内容を確認することにより、対象センサ１５１を容易に把握することができるため、非対象センサ１５１を機器管理装置１０１に通信接続させるような操作をユーザにおいて避けることができる。したがって、機器管理装置１０１とセンサ１５１との間における予期しない組み合わせの通信接続を自動的に回避することができる。
【０１５３】
また、本発明の第１の実施の形態に係る端末装置１３１では、表示処理部３２が、機器管理装置１０１との通信接続が許可されていない非対象センサ１５１からの接続要求が拒否された旨、または機器管理装置１０１と非対象センサ１５１との通信接続が切断された旨をさらに表示する処理を行う。
【０１５４】
このような構成により、ユーザが画面の内容を確認することにより、機器管理装置１０１と非対象センサ１５１との通信接続の確立が回避されたことを容易に把握することができる。また、センサ１５１からの接続要求が拒否された旨、または機器管理装置１０１とセンサ１５１との通信接続が切断された旨が表示されるため、たとえば、ユーザが機器管理装置１０１との通信接続の確立のための操作をセンサ１５１に対して行った場合、機器管理装置１０１と当該センサ１５１との通信接続が確立したか否かを容易に確認することができる。
【０１５５】
また、本発明の第１の実施の形態に係るサーバ１０２では、通信部２１が、機器管理装置１０１の装置ＩＤとセンサ１５１のセンサＩＤとの対応関係を示す対応センサ情報を取得する。また、処理部２２が、対象の機器管理装置１０１の装置ＩＤを取得し、センサ１５１との通信接続命令を当該機器管理装置１０１へ送信する。また、処理部２２が、通信部２１により取得された対応センサ情報に基づいて、対象の機器管理装置１０１の装置ＩＤに対応するセンサＩＤを含む通信接続命令を送信する。
【０１５６】
このような構成により、機器管理装置１０１は、サーバ１０２からの通信接続命令に基づいて、自己との通信接続が許可されている対象センサ１５１からの接続要求を選択的に許可することができる。したがって、機器管理装置１０１とセンサ１５１との間における予期しない組み合わせの通信接続を自動的に回避することができる。
【０１５７】
また、本発明の第１の実施の形態に係るサーバ１０２では、通信部２１が、ユーザＩＤと装置ＩＤとの対応関係を示す対応装置情報をさらに取得する。また、処理部２２が、対象のユーザのユーザＩＤを取得し、さらに、通信部２１により取得された対応装置情報に基づいて、当該ユーザＩＤに対応する装置ＩＤを対象の機器管理装置１０１の装置ＩＤとして取得する。
【０１５８】
このような構成により、ユーザが自己のユーザＩＤを入力することで、自己のユーザＩＤに対応する機器管理装置１０１と、当該機器管理装置１０１の管理対象である対象センサ１５１との通信接続の確立を指示することができる。このため、ユーザが機器管理装置１０１の装置ＩＤなどを把握する必要がない。
【０１５９】
また、本発明の第１の実施の形態に係る機器管理システム３０１では、サーバ１０２は、機器管理装置１０１の装置ＩＤとセンサ１５１のセンサＩＤとの対応関係を示す対応センサ情報に基づいて、対象の機器管理装置１０１の装置ＩＤに対応するセンサＩＤを含む通信接続命令を当該機器管理装置１０１へ送信する。
【０１６０】
このような構成により、機器管理装置１０１は、サーバ１０２からの通信接続命令に基づいて、自己との通信接続が許可されている対象センサ１５１からの接続要求を選択的に許可することができる。したがって、機器管理装置１０１とセンサ１５１との間における予期しない組み合わせの通信接続を自動的に回避することができる。
【０１６１】
次に、本発明の他の実施の形態について図面を用いて説明する。なお、図中同一または相当部分には同一符号を付してその説明は繰り返さない。
【０１６２】
＜第２の実施の形態＞
上述した本発明の第１の実施の形態に係る機器管理システム３０１では、ユーザが端末装置１３１に対してユーザＩＤおよびパスワードを入力してログインが完了すると、端末装置１３１がサーバ１０２へペアリング要求を送信する。これに対して、本発明の第２の実施の形態に係る機器管理システム３０２では、ユーザが機器管理装置１０１を操作することにより、機器管理装置１０１がサーバ１０２へペアリング要求を送信する。以下で説明する内容以外は第１の実施の形態に係る機器管理システム３０１と同様である。
【０１６３】
［構成および基本動作］
（全体構成）
図１１は、本発明の第２の実施の形態に係る機器管理システムの構成を示す図である。
【０１６４】
図１１を参照して、機器管理システム３０２は、１または複数の機器管理装置２０１と、サーバ１０２と、記憶装置１０３と、１または複数のセンサ１５１とを備える。
【０１６５】
図１１では、一例として、３つのセンサ１５１Ａ，１５１Ｂ，１５１Ｚを示している。また、図１１では、一例として、１つの機器管理装置１０１を示している。サーバ１０２および記憶装置１０３は、それぞれ、図１に示すサーバ１０２および記憶装置１０３と同様の構成である。
【０１６６】
機器管理装置２０１は、図１に示す機器管理装置１０１と同様に、たとえば、一般家庭またはオフィスなどの施設に設けられたＨＥＭＳ（Ｈｏｍｅ  Ｅｎｅｒｇｙ  Ｍａｎａｇｅｍｅｎｔ  Ｓｙｓｔｅｍ）である。機器管理装置２０１は、たとえばＺｉｇＢｅｅまたはＺ−Ｗａｖｅなどの通信規約に従い、自己との通信接続が確立したセンサ１５１との間で情報の送受信を行うことにより、センサ１５１を管理する。
【０１６７】
図１２は、本発明の第２の実施の形態に係る機器管理装置の構成を示す図である。
【０１６８】
図１２を参照して、機器管理装置２０１は、通信部５１と、処理部５２と、記憶部５３と、受付部５４とを含む。通信部５１、処理部５２および記憶部５３は、それぞれ、図２に示す通信部１１、処理部１２および記憶部１３と同様の構成である。
【０１６９】
たとえば、受付部５４は、ユーザが機器管理装置２０１に設けられた図示しないペアリングボタンを押した場合、当該ペアリングボタンの押下を検知し、記憶部５３に保存されている自己の機器管理装置２０１の装置ＩＤを含むペアリング要求を、通信部５１およびネットワーク１６１経由でサーバ１０２へ送信する。
【０１７０】
再び図１１を参照して、サーバ１０２は、機器管理装置２０１からのペアリング要求を受信すると、記憶装置１０３に保存されているデータベースから対応センサ情報を取得する。そして、サーバ１０２は、取得した対応センサ情報から、機器管理装置２０１からのペアリング要求に含まれる装置ＩＤに対応するセンサＩＤを抽出する。そして、サーバ１０２は、抽出したセンサＩＤを含む通信接続命令をネットワーク１６１経由で機器管理装置２０１へ送信する。
【０１７１】
機器管理装置２０１は、サーバ１０２からの通信接続命令をネットワーク１６１経由で受信すると、上述した第１の実施の形態に係る機器管理装置１０１と同様に、ペアリングモードでの動作を開始する。
【０１７２】
［動作］
【０１７３】
図１３は、本発明の第２の実施の形態に係る機器管理システムにおける通信接続の確立処理の手順を定めたシーケンスの一例を示す図である。
【０１７４】
図１３を参照して、まず、機器管理装置２０１は、自己に設けられたペアリングボタンの操作を受け付ける（ステップＳ４１）。そして、機器管理装置２０１は、ペアリングボタンの押下を検知すると、自己の機器管理装置２０１の装置ＩＤを含むペアリング要求をネットワーク１６１経由でサーバ１０２へ送信する（ステップＳ４２）。
【０１７５】
次に、サーバ１０２は、機器管理装置２０１からのペアリング要求を受信すると、記憶装置１０３に保存されている対応センサ情報を取得し、取得した対応センサ情報に基づいて、機器管理装置２０１からのペアリング要求に含まれる装置ＩＤに対応するセンサＩＤを取得する。ここでは、ペアリング要求に含まれる装置ＩＤが「Ｈ１１１１」であり、当該装置ＩＤに対応するセンサＩＤが「Ｓ０００１」および「Ｓ０００２」であるとする（ステップＳ４３）。
【０１７６】
次に、サーバ１０２は、取得したセンサＩＤ「Ｓ０００１」および「Ｓ０００２」を含む通信接続命令を、ペアリング要求の送信元である機器管理装置２０１へネットワーク１６１経由で送信する（ステップＳ４４）。
【０１７７】
次に、機器管理装置２０１は、サーバ１０２からの通信接続命令をネットワーク１６１経由で受信すると、ペアリングモードでの動作を開始する（ステップＳ４５）。
【０１７８】
そして、機器管理装置２０１がペアリングモードで動作している期間において、たとえば、ユーザがセンサ１５１Ａに設けられたペアリングボタンを押したとする。この場合、センサ１５１Ａは、自己のセンサＩＤを含む接続要求を機器管理装置２０１へ送信する（ステップＳ４６）。
【０１７９】
次に、機器管理装置２０１は、センサ１５１Ａからの接続要求を受信すると、受信した接続要求の送信元が対象センサであるか否かを判断する。ここでは、当該接続要求に含まれるセンサＩＤ「Ｓ０００１」がサーバ１０２からの通信接続命令に含まれているセンサＩＤと一致するため、機器管理装置２０１は、当該接続要求の送信元であるセンサ１５１Ａは対象センサであると判断し、センサ１５１Ａからの接続要求を受け入れる（ステップＳ４７）。
【０１８０】
次に、機器管理装置２０１は、接続要求を受け入れたことを示す接続応答をセンサ１５１Ａへ送信する（ステップＳ４８）。
【０１８１】
次に、機器管理装置２０１は、センサ１５１Ａとの通信接続を確立するための処理を行い、自己の装置ＩＤ「Ｈ１１１１」、自己との通信接続が確立したセンサ１５１ＡのセンサＩＤ「Ｓ０００１」および現在時刻を含む接続完了通知を、ネットワーク１６１経由でサーバ１０２へ送信する（ステップＳ４９）。
【０１８２】
次に、サーバ１０２は、機器管理装置２０１からの接続完了通知を受信すると、受信した接続完了通知に基づいて、記憶装置１０３に保存されているテーブルＴａ２の内容を変更して更新する。具体的には、サーバ１０２は、たとえば、図５に示すテーブルＴａ２のうちセンサＩＤ「Ｓ０００１」に対応する「最終通信時刻」の項目を、「ｎｕｌｌ」から接続完了通知の示す時刻へ変更して更新する（ステップＳ５０）。
【０１８３】
また、機器管理装置２０１がペアリングモードで動作している期間において、たとえば、ユーザがセンサ１５１Ｚに設けられたペアリングボタンを押したとする。この場合、センサ１５１Ｚは、自己のセンサＩＤ「Ｓ９９９９」を含む接続要求を機器管理装置１０１へ送信する（ステップＳ５１）。
【０１８４】
次に、機器管理装置２０１は、センサ１５１Ｚからの接続要求を受信すると、受信した接続要求の送信元が対象センサであるか否かを判断する。ここでは、当該接続要求に含まれるセンサＩＤ「Ｓ９９９９」がサーバ１０２からの通信接続命令に含まれているセンサＩＤと一致しないため、機器管理装置２０１は、当該接続要求の送信元であるセンサ１５１Ｚは非対象センサであると判断し、センサ１５１Ｚからの接続要求を拒否する（ステップＳ５２）。
【０１８５】
次に、機器管理装置２０１は、接続要求を拒否したことを示す接続応答をセンサ１５１Ｚへ送信する（ステップＳ５３）。
【０１８６】
そして、機器管理装置２０１は、自己の装置ＩＤ「Ｈ１１１１」および接続応答を拒否したセンサ１５１ＺのセンサＩＤ「Ｓ９９９９」を含む接続拒否通知を、ネットワーク１６１経由でサーバ１０２へ送信する（ステップＳ５４）。
【０１８７】
その他の構成および動作は第１の実施の形態と同様であるため、ここでは詳細な説明を繰り返さない。
【０１８８】
また、本発明の第１および第２の実施の形態に係るサーバ１０２および記憶装置１０３の機能の一部または全部が、クラウドコンピューティングによって提供されてもよい。すなわち、本発明の第１および第２の実施の形態に係るサーバ１０２および記憶装置１０３が、複数のクラウドサーバ等によって構成されてもよい。
【０１８９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１９０】
以上の説明は、以下に付記する特徴を含む。
【０１９１】
［付記１］
機器管理装置であって、
１または複数の子機と通信可能であり、自己の前記機器管理装置との通信接続が許可されている前記子機である対象子機の識別情報を他の装置から受信する通信部と、
前記通信部により受信された前記識別情報に基づいて、前記対象子機からの接続要求を選択的に許可して前記対象子機との通信接続を確立する処理を行う処理部とを備え、
前記通信部は、ＺｉｇＢｅｅまたはＺ−Ｗａｖｅの通信規約に従い、自己の前記機器管理装置との通信接続が確立した前記子機との間で情報の送受信を行い、
前記子機は、施設に設けられた、温湿度センサ、ドア開閉センサまたは人感センサである、機器管理装置。
【０１９２】
［付記２］
機器管理装置との通信接続が許可されている子機である対象子機の識別情報を他の装置から受信する通信部と、
前記通信部により受信された前記識別情報を画面に表示する処理を行う表示処理部とを備え、
前記通信部は、前記識別情報に加えて、さらに、前記対象子機と前記機器管理装置との接続状態、および前記対象子機と前記機器管理装置との直近の通信時刻のうちの少なくともいずれか一方を示す接続状態情報を前記他の装置から受信し、
前記表示処理部は、前記通信部により受信された前記接続状態情報に基づいて、前記対象子機と前記機器管理装置との接続状態、および前記対象子機と前記機器管理装置との直近の通信時刻のうちの少なくともいずれか一方をさらに表示する処理を行う、端末装置。
【０１９３】
［付記３］
機器管理装置の識別情報と子機の識別情報との対応関係を示す第１対応情報を取得する取得部と、
対象の前記機器管理装置の識別情報を取得し、前記子機との通信接続を確立する命令を前記対象の機器管理装置へ送信する処理部とを備え、
前記処理部は、前記取得部により取得された前記第１対応情報に基づいて、前記対象の機器管理装置の識別情報に対応する前記子機の識別情報を含む前記命令を送信し、
前記処理部は、前記対象の機器管理装置と前記子機との通信接続が確立された場合、通信接続が確立したことを示す接続完了通知を前記取得部経由で受信し、受信した前記接続完了通知を前記取得部経由で端末装置へ送信し、
前記処理部は、前記子機から前記対象の機器管理装置への接続要求が拒否された場合、または前記対象の機器管理装置と前記子機との通信接続が切断された場合、前記子機からの接続要求が拒否されたこと、または前記機器管理装置と前記子機との通信接続が切断されたことを示す接続拒否通知を前記取得部経由で受信し、受信した前記接続完了通知を前記取得部経由で前記端末装置へ送信する、管理支援装置。
【符号の説明】
【０１９４】
１１，５１  通信部
１２，５２  処理部
１３，５３  記憶部
２１  通信部（取得部）
２２  処理部
３１  受付部
３２  表示処理部
３３  通信部
３４  記憶部
５４  受付部
１０１，２０１  機器管理装置
１０２  サーバ（管理支援装置）
１０３  記憶装置
１３１  端末装置
１５１  センサ（子機）
１６１  ネットワーク
３０１，３０２  機器管理システム
【図１】
2019012887.tif 000003
【図２】
2019012887.tif 000004
【図３】
2019012887.tif 000005
【図４】
2019012887.tif 000006
【図５】
2019012887.tif 000007
【図６】
2019012887.tif 000008
【図７】
2019012887.tif 000009
【図８】
2019012887.tif 000010
【図９】
2019012887.tif 000011
【図１０】
2019012887.tif 000012
【図１１】
2019012887.tif 000013
【図１２】
2019012887.tif 000014
【図１３】
2019012887.tif 000015